(57)【特許請求の範囲】
【請求項１】
光束を射出する光源部と、
所定の回転軸の回りを略等角速度で回転し且つ前記回転軸に平行な複数の反射面が外周に形成され、入射された光束を前記反射面により偏向させる回転多面鏡と、
前記光源部から射出された光束を、前記回転軸に平行な副走査方向に収束させて前記反射面上に前記副走査方向に垂直な主走査方向に沿った線像として結像させる第１の結像光学系と、
前記副走査方向に沿った断面内で前記反射面と被走査面とを略共役な結像関係とするとともに、前記反射面により偏向された光束を、等速度で前記被走査面を走査するスポットとして結像させる第２の結像光学系と、
基台に対し所定方向に移動可能な支持部材上に、一方のミラーが光束の反射位置よりも前記副走査方向上側に設けられた支点を中心に回転し、他方のミラーが光束の反射位置よりも前記副走査方向下側に設けられた支点を中心に回転することで前記副走査方向に沿って角度調整可能に設けられ、前記光源部から射出されて前記第１の結像光学系を通過した光束を前記一方のミラー及び前記他方のミラーにより反射して前記回転多面鏡に入射させるミラー対と、
を有する光走査装置。
【請求項２】
前記光源部は、前記基台に対し着脱可能であることを特徴とする請求項１記載の光走査装置。
【発明の詳細な説明】
【０００１】
【発明の属する技術分野】
本発明は、光走査装置に係り、より詳しくは、光束を回転多面鏡によって所定の主走査方向に偏向し、偏向された光束で被走査面を走査する光走査装置に関する。
【０００２】
【従来の技術】
近年、レーザビームを走査して画像の記録を行うレーザビームプリンタやディジタル複写機などの画像形成装置が広く使用されている。図１には、このような画像形成装置に内蔵された一般的な光走査装置１００の概略構成図が示されている。
【０００３】
この図１に示す光走査装置１００において、画像情報信号に基づいて半導体レーザ１０２が駆動され、該半導体レーザ１０２からレーザビームが射出される。このレーザビームはコリメータレンズ１０４によりコリメートされ、スリット１０６、シリンドリカルレンズ１０８を通過した後、回転多面鏡１１０上に線状に結像され、矢印Ｑ方向に回転する回転多面鏡１１０によって偏向される。偏向されたレーザビームは、感光体１１２上の走査速度が等速度になるよう補正するｆθレンズ１１４によって集光され、反射ミラー１１６によって光路を折り曲げられた後、面倒れ補正するシリンドリカルミラー１１８を介してレーザビームの被走査面となる感光体１１２上に結像される。これによって、感光体１１２上に上記画像情報信号に対応する潜像が形成される。
【０００４】
感光体１１２の周囲には、帯電装置、現像装置、転写装置、クリーニング装置等の周知の画像形成プロセス機器が配置されており、上記のようにして感光体１１２上に形成された潜像が現像装置による現像処理でトナー像となり、このトナー像は転写装置によって記録用紙等に転写される。
【０００５】
上記のような画像形成装置では、レーザビームの光軸が基準位置からずれると、被走査面上での走査位置がずれ、形成される画像の画質が劣化する等の不都合が生じる。
【０００６】
そこで、従来より光走査装置内の光軸調整機構に関し、以下のような種々の提案が行われている。
【０００７】
特開平５−２９７３０３号公報には、光軸調整および焦点位置調整を光源装置の移動により行う技術が開示されている。図２には特開平５−２９７３０３号公報に開示された光源装置１２０の分解斜視図を示す。この光源装置１２０では、本体シャーシ１２２の位置決めピン１２４がコリメータレンズユニット１２６の位置決め孔１２８に嵌入した状態で固定ネジ１３０、１３２によって固定されている。コリメータレンズユニット１２６の取付柱１３４、１３６の上面には、ＬＤユニット１３８の一部を構成するＬＤ取付部材１４０がＬＤユニット固定ネジ１４２、１４４によって固定される。ＬＤユニット１３８は光軸調整が終了した後に完全に固定される。ＬＤユニット１３８の光軸調整が行われた後、調整ネジ１４６を回転して半導体レーザ１４８を光軸方向に進退させることにより、焦点位置の調整が行われる。
【０００８】
また、光源装置の移動以外の方法で光軸調整を行う技術が実開平２−４７６０９号公報に開示されている。図３（Ａ）に示す光軸調整機構１６２では、保持部材１６４により保持された球体１６６の一部が平面状に削成されており、この平面部１６８にミラー１７０が貼付等により固定されている。オペレータは、図３（Ｂ）に示す治具１７２によって球体１６６を保持部材１６４に対して回動させることにより、ミラー１７０の反射角度を調整し、光軸調整を行う。
【０００９】
さらに、上記従来技術の他にも１枚のミラーを光軸方向に移動させることにより光軸調整を行う技術が知られている。
【００１０】
【発明が解決しようとする課題】
ところが、上記のうち特開平５−２９７３０３号公報記載の技術では、光軸調整の後に、調整ネジ１４６（図２）を回転させて半導体レーザ１４８を進退させることにより、焦点位置調整を行っているため、調整ネジ１４６のガタや調整ネジ１４６の先端形状によっては半導体レーザ１４８が光軸方向に平行移動しないことがあり、既に調整が完了している光軸１５０がずれてしまうおそれがある。そのため、光軸調整の調整範囲を狭めたり或いは再調整を行うなどの処置が必要となってしまうため、調整が困難になり、調整時間の増加という不具合が発生するおそれがある。
【００１１】
また、実開平２−４７６０９号公報記載の技術は、人手による光軸調整であり、光軸調整時には治具１７２が必要となる。この治具１７２が無くては調整ができず、治具１７２を使用した場合でも、ミラー１７０が貼付された球体１６６を、光軸に対し水平な平面内および垂直な平面内で正確に回動させることは困難である。また、ミラー１７０で反射された光束が回転多面鏡に対し入射する角度がずれるおそれがある、という問題がある。回転多面鏡への入射角がずれてしまうと、回転多面鏡の回転によって光束が走査する領域がずれてしまい、走査開始の書き出し位置がずれるという不具合が発生する。
【００１２】
さらに、１枚のミラーの移動によって光軸を調整する技術では、図４に示すように、ミラー１８０を所定方向（図４では一例としてＺ軸方向）に沿って移動することにより、光束の主走査方向位置を調整することが可能である。しかし、光束の副走査方向位置は調整できない。また、ミラー１８０を移動することにより光束の光路長が変化してしまう。光路長が変化することで、光源１８２と回転多面鏡１８４との共役関係が崩れ、回転多面鏡１８４上の副走査方向のスポットサイズが悪化し、画質劣化等の問題が発生するおそれがある。
【００１３】
光路長の変化量ΔＬ（ｍｍ）は、回転多面鏡１８４への光束の入射角をα（°）、ミラー１８０の移動量をΔＤ（ｍｍ）とすると、ΔＬ＝２Ｄ／ｃｏｓαで表わされる。
【００１４】
例えば、α＝３０°、ΔＤ＝１ｍｍとすると、ΔＬ＝２×１／ｃｏｓ３０°＝２．３１ｍｍとなる。このように光路長が２ｍｍも変動すると、回転多面鏡１８４上のスポット径が悪化し、画質劣化等の影響をもたらすことになる。
【００１５】
ところで、近年、光走査装置全体の小型化を図るために、光走査装置内の光路の途中に一対の反射ミラー（反射ミラー対）を設け、光束を折り返す回数を増やす装置構成が広く用いられている。
【００１６】
本発明は、上記問題点を解消するために成されたものであり、焦点位置調整に起因した光軸のずれを回避し、光軸調整を容易に精度良く行うことができる光走査装置を提供することを目的とする。
【００１７】
【課題を解決するための手段】
上記目的を達成するために、請求項１記載の光走査装置は、光束を射出する光源部と、所定の回転軸の回りを略等角速度で回転し且つ前記回転軸に平行な複数の反射面が外周に形成され、入射された光束を前記反射面により偏向させる回転多面鏡と、前記光源部から射出された光束を、前記回転軸に平行な副走査方向に収束させて前記反射面上に前記副走査方向に垂直な主走査方向に沿った線像として結像させる第１の結像光学系と、前記副走査方向に沿った断面内で前記反射面と被走査面とを略共役な結像関係とするとともに、前記反射面により偏向された光束を、等速度で前記被走査面を走査するスポットとして結像させる第２の結像光学系と、基台に対し所定方向に移動可能な支持部材上に、一方のミラーが光束の反射位置よりも前記副走査方向上側に設けられた支点を中心に回転し、他方のミラーが光束の反射位置よりも前記副走査方向下側に設けられた支点を中心に回転することで前記副走査方向に沿って角度調整可能に設けられ、前記光源部から射出されて前記第１の結像光学系を通過した光束を前記一方のミラー及び前記他方のミラーにより反射して前記回転多面鏡に入射させるミラー対と、を有することを特徴とする。
【００１９】
また、請求項２記載の光走査装置では、請求項１記載の光走査装置において、前記光源部は、前記基台に対し着脱可能であることを特徴とする。
【００２０】
上記請求項１記載の光走査装置では、光源部から射出された光束は第１の結像光学系に入射され、第１の結像光学系は、光束を副走査方向に収束させて回転多面鏡の反射面上に副走査方向に垂直な主走査方向に沿った線像として結像させる。回転多面鏡は、所定の回転軸の回りを略等角速度で回転し、外周に形成された反射面により光束を偏向させる。そして、回転多面鏡により偏向された光束は第２の結像光学系に入射される。この第２の結像光学系は、副走査方向に沿った断面内で回転多面鏡の反射面と被走査面とを略共役な結像関係とするとともに、入射してきた光束（＝主走査方向に沿った線像として回転多面鏡の反射面に結像し該反射面で偏向された光束）を、等速度で被走査面を走査するスポットとして被走査面に結像させる。
【００２１】
上記のような第１、第２の結像光学系を含む光走査装置を小型化するために、請求項１記載の光走査装置には、光源部から射出された光束を回転多面鏡に向かって反射するミラー対が設けられている。また、このミラー対は、基台に対し所定方向に移動可能な支持部材上に、副走査方向に沿って角度調整可能に設けられている。
【００２２】
このような請求項１記載の光走査装置で光軸調整を行う場合、上記ミラー対が載置された支持部材を基台に対し所定方向に移動させる。このとき、ミラー対を構成する２つのミラーはそれぞれ基台に対し所定方向に同じ移動量だけ移動するので、以下に説明するように、主走査方向に沿った光軸調整を行うことができる。
【００２３】
例えば、図７に示すように、ミラー対を構成する第一ミラー２６が光源２２からの光束に対し（α／２）の入射角度となるよう配置され、ミラー対を構成する第二ミラー２７が第一ミラー２６からの光束に対しαの入射角度となるよう配置されているものとする。
【００２４】
このとき、ミラー対を図７のＺ軸方向にΔＤだけ移動させることにより、回転多面鏡２９における主走査方向の光軸位置をΔＸ（＝ΔＤ×ｔａｎα）だけずらすことができる。
【００２５】
よって、ミラー対が載置された支持部材を、ずれを無くす方向に上記ずれ量に応じた距離だけ移動させれば、該ミラー対が所定方向に上記ずれ量に応じた距離だけ移動し、主走査方向の光軸位置のずれを無くすことができる。
【００２６】
また、ミラー対は支持部材上に、副走査方向に沿って角度調整可能に設けられているので、何れか一方のミラーの角度調整を行うことにより、副走査方向の光軸位置のずれを無くすことができる。
【００２７】
また、請求項１記載の光走査装置では、ミラー対は支持部材上に設けられ、光源部とは分離されている。よって、光源部において、例えば光源やコリメータレンズの移動等の公知の技術を利用して焦点位置調整を行っても、光軸調整と焦点位置調整とが別機構にて行われているため、焦点位置調整の影響で光軸ずれが発生することを回避できる。
【００２８】
以上のように、請求項１記載の光走査装置によれば、焦点位置調整に起因した光軸ずれの発生を回避でき、光軸調整を容易に精度良く行うことができる。
【００２９】
ところで、上記のようにミラー対を所定方向に移動させた場合、光源部から回転多面鏡までの光路長が若干変化する。通常はこの光路長変化は、上記のように光源部において光源とコリメータレンズとの距離の調整（焦点位置調整）を行うことで補正できる。但し、主走査方向の光軸ずれが大きくて該光軸ずれを補正するためのミラー対の移動量が大きい場合には、光源部から回転多面鏡までの光路長の変化量も大きくなるので、光源部での焦点位置調整だけでは光路長の補正が困難となる場合がある。
【００３０】
そこで、請求項１に記載したように、ミラー対のうち一方のミラーを、該一方のミラーにおける光束の反射位置よりも副走査方向上側に設けられた支点を中心に回転させることで、副走査方向に沿って角度調整可能とし、且つミラー対のうち他方のミラーを、該他方のミラーにおける光束の反射位置よりも副走査方向下側に設けられた支点を中心に回転させることで、副走査方向に沿って角度調整可能としている。
【００３１】
ミラー対を上記のように構成することで、例えば、光軸を副走査方向上側に調整するケースで光路長が長くなるよう調整する場合、上記他方のミラーを反射面が少し上を向くように、光束反射位置よりも下側の支点を中心に回転させれば、光軸を副走査方向上側に調整し且つ光路長が長くなるよう調整することができる。
【００３２】
また、光軸を副走査方向上側に調整するケースで光路長が短くなるよう調整する場合、上記一方のミラーを反射面が少し上を向くように、光束反射位置よりも上側の支点を中心に回転させれば、光軸を副走査方向上側に調整し且つ光路長が短くなるよう調整することができる。
【００３３】
また、光軸を副走査方向下側に調整するケースで光路長が長くなるよう調整する場合、上記一方のミラーを反射面が少し下を向くように、光束反射位置よりも上側の支点を中心に回転させれば、光軸を副走査方向下側に調整し且つ光路長が長くなるよう調整することができる。
【００３４】
また、光軸を副走査方向下側に調整するケースで光路長が短くなるよう調整する場合、上記他方のミラーを反射面が少し下を向くように、光束反射位置よりも下側の支点を中心に回転させれば、光軸を副走査方向下側に調整し且つ光路長が短くなるよう調整することができる。
【００３５】
このように請求項１記載の発明によれば、光軸を副走査方向に調整しつつ、光路長を補正することができる。もちろん、光源部での焦点位置調整と併せて光路長を補正する場合には、該光源部での焦点位置調整量を少なくすることができる。
【００３６】
なお、本発明は、請求項２に記載したように光源部が基台に対し着脱可能に構成された光走査装置に対して、特に有効である。即ち、本発明では光軸調整を、光源部とは別体のミラー対の移動により行うため、光源部が着脱可能な光走査装置に本発明を適用した場合、光源部が正確に位置決めされていれば、光源部を何回交換しても、交換の度に光軸調整を再実行する必要がなくなり、光源部交換時の作業負荷を軽減することができる。
【００３７】
【発明の実施の形態】
以下、本発明に係る光走査装置の実施形態として、画像形成装置に内蔵された光走査装置の例を説明する。
【００３８】
図５には、本実施形態における画像形成装置１０の要部の構成図を示す。この図５に示すように、画像形成装置１０には、感光体ドラム３２が設置されており、この感光体ドラム３２は矢印Ｗ方向に所定の角速度で回転する。また、感光体ドラム３２の外周部近傍には、図示しない帯電装置、現像装置、転写装置及びクリーニング装置が外周に沿って順に設置されている。また、感光体ドラム３２の上方には、形成される画像の画像データに応じて変調されたレーザ光で感光体ドラム３２の表面を走査する光走査装置２０が設置されている。
【００３９】
この光走査装置２０には、レーザーダイオード（以下、ＬＤと称する）２２が設けられており、このＬＤ２２の光軸上には、ＬＤ２２に近い方から順にコリメータレンズ２３、スリット２４、シリンドリカルレンズ２５、折り返しミラー２６、折り返しミラー２７、回転多面鏡（ポリゴンミラー）２９が配置されている。なお、回転多面鏡２９は、図示しない回転駆動用モータの駆動力で矢印Ｖ方向に等角速度で回転する。また、折り返しミラー２６、２７は、ＬＤ２２からのレーザ光を回転多面鏡２９へ向けて反射するミラー対を構成している。
【００４０】
また、回転多面鏡２９で反射されたレーザ光の光軸上には、回転多面鏡２９から近い方から順に、ｆθレンズ２８、折り返しミラー３０、シリンドリカルミラー３１が配置されており、シリンドリカルミラー３１で反射されたレーザ光は感光体ドラム３２に照射される。
【００４１】
即ち、ＬＤ２２から照射されたレーザ光は、コリメータレンズ２３、スリット２４、シリンドリカルレンズ２５を通過し、折り返しミラー２６、２７で順に反射されて回転多面鏡２９に入射し、この回転多面鏡２９により偏向される。偏向されたレーザ光は、ｆθレンズ２８を通過し折り返しミラー３０、シリンドリカルミラー３１で順に反射した後、感光体ドラム３２の表面に照射される。このとき回転多面鏡２９によるレーザ光の偏向によって、感光体ドラム３２の表面はレーザ光で走査露光される。なお、回転多面鏡２９により偏向されたレーザ光によって感光体ドラム３２が走査される方向を主走査方向といい、主走査方向と直交する方向を副走査方向という。
【００４２】
また、光走査装置２０には、レーザ光により感光体ドラム３２が走査される際に感光体ドラム３２の画像形成領域に最初に入射する位置以前の予め定められた位置に、ピックアップミラー３３が配置されており、このピックアップミラー３３により反射されたレーザ光の光軸上には、ＳＯＳレンズ３４、水平同期センサ（ＳＯＳセンサ）３５が順に配置されている。
【００４３】
次に、図６、図８を用いて、折り返しミラー２６、２７により構成されるミラー対の構成を説明する。以後、折り返しミラー２６を第一ミラー２６と称し、折り返しミラー２７を第二ミラー２７と称する。
【００４４】
図６、図８に示すように、第一ミラー２６、第二ミラー２７は、同一の支持部材４１上に配置されており、このうち第一ミラー２６は保持部材３６により保持され、第二ミラー２７は保持部材４６により保持されている。
【００４５】
支持部材４１には、該支持部材４１を所定方向（ここでは一例として光源方向）へ平行移動させるための長穴４１Ａ、４１Ｂが設けられており、このうち長穴４１Ａには、光走査装置２０の筐体２１に固定された基準ピン２１Ａが、長穴４１Ｂには、筐体２１に固定された基準ピン２１Ｂが、それぞれ嵌入されている。このような構成により、支持部材４１及び第一ミラー２６、第二ミラー２７を筐体２１に対して所定方向に平行移動させることができる。
【００４６】
詳細は後述するが、オペレータは第一ミラー２６、第二ミラー２７を筐体２１に対して所定方向に平行移動させることで主走査方向の光軸ずれを補正する。この補正完了後に支持部材４１はネジ３９によって筐体２１に固定される。
【００４７】
上記保持部材３６は、支持部材４１の平板部に固定された固定板３６Ａと、第一ミラー２６を上下左右から保持する保持板３６Ｂとを含んで構成されており、保持板３６Ｂの上端部はネジ３６Ｃにより固定板３６Ａに固定されている。一方の保持板３６Ｂの下端部は支持部材４１の平板部に当接しているものの固定されておらず、該保持板３６Ｂの下端部と固定板３６Ａの下端部とに挿通された調整ネジ３６Ｄを図８の左右方向に沿って進退させることにより、保持板３６Ｂの下端部と固定板３６Ａの下端部との間隔を変化させることが可能である。
【００４８】
このように第一ミラー２６の下端部の位置は矢印Ｋ１方向に沿って調整可能とされており、オペレータはこの下端部の位置を矢印Ｋ１方向に沿って調整することで第一ミラー２６の反射面の姿勢を変化させ、光軸を副走査方向（図８の上下方向）に沿って調整することができる。
【００４９】
同様に、保持部材４６は、支持部材４１の平板部に固定された固定板４６Ａと、第二ミラー２７を上下左右から保持する保持板４６Ｂとを含んで構成されており、保持板４６Ｂの下端部はネジ４６Ｃにより支持部材４１の平板部に固定されている。一方の保持板４６Ｂの上端部は調整ネジ４６Ｄによって固定板４６Ａの上端部に連結されており、調整ネジ４６Ｄを図８の左右方向に沿って進退させることにより、保持板４６Ｂの上端部と固定板４６Ａの上端部との間隔を変化させることが可能である。
【００５０】
このように第二ミラー２７の上端部の位置は矢印Ｋ２方向に沿って調整可能とされており、オペレータはこの上端部の位置を矢印Ｋ２方向に沿って調整することで第二ミラー２７の反射面の姿勢を変化させ、光軸を副走査方向（図８の上下方向）に沿って調整することができる。
【００５１】
次に、図７を用いて主走査方向の光軸調整について説明する。図７に示すように、第一ミラー２６はＬＤ２２からのレーザ光の入射角度がα／２となるように配置され、第二ミラー２７は第一ミラー２６で反射されたレーザ光の入射角度がαとなるように配置されている。なお、図７では、ＬＤ２２からのレーザ光射出方向に沿ってＺ軸を、該Ｚ軸方向に垂直な図７の左右方向に沿ってＸ軸を、図７の紙面垂直方向に沿ってＹ軸を、それぞれ設定しており、Ｙ軸については図７の紙面手前方向（鉛直方向上側）を正とする。
【００５２】
前述したように、このような図７の構成で、ミラー対を図７のＺ軸方向にΔＤだけ移動させることにより、回転多面鏡２９における主走査方向の光軸位置をΔＸ（＝ΔＤ×ｔａｎα）だけずらすことが可能である。
【００５３】
そこで、オペレータは、ＬＤ２２からのレーザ光を任意の位置（例えば回転多面鏡２９の直前）でモニター用位置検出素子（不図示）で検出し、予め定められた基準位置からのずれ量ΔＸを測定する。そして、支持部材４１を、ずれを無くす方向に上記ずれ量ΔＸに応じた距離ΔＤ（＝ΔＸ／ｔａｎα）だけ移動させる。これにより、主走査方向の光軸位置のずれを補正することができる。
【００５４】
以下の表１に具体的な数値例を示す。
【００５５】
【表１】
0003772510.tif 000002
【００５６】
ところで、上記のように支持部材４１を移動させると、ミラー対も移動しＬＤ２２からのレーザ光の光路長が変化する。図７の構成では、ミラー対をＬＤ２２から遠ざかる方向に移動させると、光路長変化量ΔＬ（＝ΔＤ（１−１／ｃｏｓα））は、ΔＤ＞０なので負の値となり、光路長は短くなる。一方、ミラー対をＬＤ２２に近づける方向に移動させると、光路長変化量ΔＬ（＝ΔＤ（１−１／ｃｏｓα））は、ΔＤ＜０なので正の値となり、光路長は長くなる。
【００５７】
このようにミラー対の移動方向に応じて光路長は変化することになる。例えば、回転多面鏡２９への入射角をα（°）、ミラー対の移動量をΔＤ（ｍｍ）とした場合、光路長変化量ΔＬ（ｍｍ）は以下の表２のようになる。
【００５８】
【表２】
0003772510.tif 000003
【００５９】
この時に、回転多面鏡２９へのレーザ光の入射角αによっては光路長変化量ΔＬは小さくなり、従来のようにＬＤ２２とコリメータレンズ２３との距離調整（焦点位置調整）によって補正可能なレベルとなる。
【００６０】
しかし、その一方で光路長変化量ΔＬは、焦点位置調整では補正できないレベルとなる場合がある。このような場合には、第一ミラー２６、第二ミラー２７の何れかの角度を、以下のように調整することにより、副走査方向の光軸調整と共に光路長の補正を行うことができる。
【００６１】
なお、角度調整を行うミラーの選択は以下の表３のように、ミラー対の移動方向と副走査方向の光軸調整方向との組合せによって決まる。
【００６２】
【表３】
0003772510.tif 000004
【００６３】
例えば、光軸を副走査方向に沿って正方向（鉛直方向上側）に調整するケースで、ミラー対を図７のＺ軸に沿って正方向移動させる場合、光路長が短くなるので、調整ネジ４６Ｄを進退させて第二ミラー２７の角度を、その反射面が少し上を向くように調整する。これにより、光軸を副走査方向に沿って正方向に調整し且つ光路長が長くなるよう調整することができる。
【００６４】
また、光軸を副走査方向に沿って正方向（鉛直方向上側）に調整するケースで、ミラー対を図７のＺ軸に沿って負方向移動させる場合、光路長が長くなるので、調整ネジ３６Ｄを進退させて第一ミラー２６の角度を、その反射面が少し上を向くように調整する。これにより、光軸を副走査方向に沿って正方向に調整し且つ光路長が短くなるよう調整することができる。
【００６５】
また、光軸を副走査方向に沿って負方向（鉛直方向下側）に調整するケースで、ミラー対を図７のＺ軸に沿って正方向移動させる場合、光路長が短くなるので、調整ネジ３６Ｄを進退させて第一ミラー２６の角度を、その反射面が少し下を向くように調整する。これにより、光軸を副走査方向に沿って負方向に調整し且つ光路長が長くなるよう調整することができる。
【００６６】
また、光軸を副走査方向に沿って負方向（鉛直方向下側）に調整するケースで、ミラー対を図７のＺ軸に沿って負方向移動させる場合、光路長が長くなるので、調整ネジ４６Ｄを進退させて第二ミラー２７の角度を、その反射面が少し下を向くように調整する。これにより、光軸を副走査方向に沿って負方向に調整し且つ光路長が短くなるよう調整することができる。
【００６７】
このように何れのケースでも、光軸を副走査方向に調整しつつ光路長変化を補正することができる。もちろん、ＬＤ２２とコリメータレンズ２３との距離調整（焦点位置調整）と併せて光路長変化を補正する場合には、該焦点位置調整量を少なくすることができる。
【００６８】
なお、光走査装置２０においてミラー対は図９に示すように配置しても良い。この図９の例では、第一ミラー２６はＬＤ２２からのレーザ光の入射角度がαとなるように配置され、第二ミラー２７は第一ミラー２６で反射されたレーザ光の入射角度が（α／２）となるように配置されている。
【００６９】
このような光学系においても上記実施形態と同様の原理で、ミラー対を所定方向（例えば図９の矢印Ｚ方向）に移動させることにより、主走査方向の光軸位置のずれを補正することができる。また、第一ミラー２６、第二ミラー２７の何れかの角度を調整することにより、副走査方向の光軸調整と共に光路長の補正を行うことができる。
【００７０】
但し、図９の構成では、ミラー対をＬＤ２２から遠ざかる方向（図９において上方向）に移動させると、光路長変化量ΔＬ（＝ΔＤ（（１／ｃｏｓα）−１））は、ΔＤ＞０なので正の値となり、光路長は長くなる。一方、ミラー対をＬＤ２２に近づける方向に移動させると、光路長変化量ΔＬは、ΔＤ＜０なので負の値となり、光路長は短くなる。よって、副走査方向の光軸調整と共に光路長の補正を行う際に、調整対象となるミラーの選択は以下の表４のようになる。
【００７１】
【表４】
0003772510.tif 000005
【００７２】
ところで、図１０（Ａ）に示すように、光走査装置２０において、ＬＤ２２、コリメータレンズ２３、スリット２４及びシリンドリカルレンズ２５を光源部とみなし、この光源部を本体に着脱可能な光源ユニット４２として構成しても良い。ＬＤ２２は静電気等に非常に弱く、故障や劣化が起こりやすいので、このように光源部を光源ユニット４２として構成すれば、交換作業が容易になりオペレータの作業負荷を軽減できる。
【００７３】
また、光軸調整は、上記光源ユニット４２とは別体のミラー対の移動により行われる。よって、図１０（Ａ）のように光源ユニット４２が正確に位置決めされ、ＬＤ２２の発光点Ａと第一ミラー２６の反射点Ｂとの位置関係が合っていれば、光源ユニット４２の交換により光軸がずれることはない（但し、図１０（Ｂ）のように光源ユニット４２が正確に位置決めされておらず、ＬＤ２２の発光点Ａと第一ミラー２６の反射点Ｂとの位置関係が合っていなければ、光軸がずれてしまう）。
【００７４】
このように光源ユニット４２が正確に位置決めされていれば、光源ユニット４２を何回交換しても、交換の度に光軸調整を再実行する必要がなくなり、光源ユニット４２の交換時の作業負荷を軽減することができる。
【００７５】
なお、上記実施形態では、図１１（Ａ）に示すように、第一ミラー２６、第二ミラー２７で構成されるミラー対を、ＬＤ２２からのレーザ光射出方向（矢印Ｊ１方向）に沿って移動させる例を示したが、ミラー対の移動方向は上記ＬＤ２２からのレーザ光射出方向（矢印Ｊ１方向）に限定されるものではなく、任意の方向に設定することができる。
【００７６】
例えば、図１１（Ｂ）に示すようにＬＤ２２からのレーザ光射出方向に垂直な方向（矢印Ｊ２方向）に沿ってミラー対を移動させても良い。また、図１２（Ａ）に示すように第一ミラー２６で反射された反射光の進行方向（矢印Ｊ３方向）に沿ってミラー対を移動させても良いし、図１２（Ｂ）に示すように第二ミラー２７で反射された反射光の進行方向（矢印Ｊ４方向）に沿ってミラー対を移動させても良い。
【００７７】
また、上記実施形態では、画像形成装置に内蔵された光走査装置の例を説明したが、本発明に係る光走査装置は、光走査装置により原稿面を走査して該原稿面からの反射光又は透過光に基づいて原稿を読み取る読取装置についても適用可能であり、同様の効果を得ることができる。
【００７８】
【発明の効果】
以上説明したように、請求項１記載の発明によれば、主走査方向の光軸位置のずれ量に応じた距離だけミラー対を所定方向に移動させれば、主走査方向の光軸位置のずれを補正でき、何れか一方のミラーの角度調整を行えば、副走査方向の光軸位置のずれを補正でき、さらに、ミラー対は支持部材上に設けられ光源部とは分離され、光軸調整と焦点位置調整とが別機構にて行われるので、焦点位置調整に起因した光軸ずれの発生を回避しつつ、光軸調整を容易に精度良く行うことができる。
【００７９】
また、請求項１記載の発明によれば、光軸を副走査方向に調整しつつ、光路長を補正することができる。また、光源部での焦点位置調整と併せて光路長を補正する場合には、該光源部での焦点位置調整量を少なくすることができる。
【００８０】
また、請求項２記載の発明によれば、光源部が正確に位置決めされていれば、光源部を何回交換しても交換の度に光軸調整を再実行する必要がないので、光源部交換時の作業負荷を軽減することができる。
【図面の簡単な説明】
【図１】従来の光走査装置の概略構成図である。
【図２】特開平５−２９７３０３号公報に開示された光源装置の分解斜視図である。
【図３】（Ａ）は実開平２−４７６０９号公報に開示された光軸調整機構の分解斜視図であり、（Ｂ）は（Ａ）の光軸調整機構に対し光軸調整を行う際に用いられる調整治具を示す図である。
【図４】１枚のミラーの移動による光軸調整方法を示す図である。
【図５】発明の実施形態における光走査装置の概略構成図である。
【図６】ミラー対周辺の構成を示す斜視図である。
【図７】発明の実施形態における主走査方向の光軸調整方法を示す図である。
【図８】ミラー対の保持構造を示す図である。
【図９】ミラー対の配置に関する他の構成例を示す図である。
【図１０】（Ａ）は光源ユニットが正確に位置決めされた場合の光路を示す図であり、（Ｂ）は光源ユニットが正確に位置決めされなかった場合の光路を示す図である。
【図１１】（Ａ）は発明の実施形態におけるミラー対の移動方向を示す図であり、（Ｂ）は光源からのレーザ光射出方向に垂直な方向に沿ってミラー対を移動させるケースを示す図である。
【図１２】（Ａ）は第一ミラーで反射された反射光の進行方向に沿ってミラー対を移動させるケースを示す図であり、（Ｂ）は第二ミラーで反射された反射光の進行方向に沿ってミラー対を移動させるケースを示す図である。
【符号の説明】
２０    光走査装置
２２    ＬＤ
２３    コリメータレンズ
２５    シリンドリカルレンズ
２６    第一ミラー
２７    第二ミラー
２８    ｆθレンズ
２９    回転多面鏡
３０    反射ミラー
３１    シリンドリカルミラー
３２    感光体ドラム
３６、４６  保持部材
３６Ｄ、４６Ｄ  調整ネジ
４１    支持部材
４２    光源ユニット
【図１】
0003772510.tif 000006
【図２】
0003772510.tif 000007
【図３】
0003772510.tif 000008
【図４】
0003772510.tif 000009
【図５】
0003772510.tif 000010
【図６】
0003772510.tif 000011
【図７】
0003772510.tif 000012
【図８】
0003772510.tif 000013
【図９】
0003772510.tif 000014
【図１０】
0003772510.tif 000015
【図１１】
0003772510.tif 000016
【図１２】
0003772510.tif 000017